(57)【要約】【課題】簡単な操作をするだけで所定の印刷属性で印刷する。【解決手段】ＣＰＵは、プリンタのドライバ属性又はデバイス属性を取得して、プリンタが両面印刷可能であるかを判定する（ステップＳＴ５）。そして、両面印刷可能であるときは、コピーされたプリンタアイコンを用いて、プリンタに対して「＜プリンタ名＞＿両面＿２ｕｐ」プリンタアイコンを生成する。さらにこのプリンタアイコンに対して、印刷属性の設定を行う（ステップＳＴ６）。【選択図】　　　　図２
2004110127.tif 000002
【特許請求の範囲】
【請求項１】
プリンタを選択するプリンタ選択手段と、
前記プリンタ選択手段により選択されたプリンタのプリンタ特性を取得するプリンタ特性取得手段と、
前記プリンタ特性取得手段により取得されたプリンタ特性に応じて、所定の印刷属性で印刷することを指示するアイコンを生成するアイコン生成手段と、
を備えたプリンタアイコン生成装置。
【請求項２】
前記プリンタ特性取得手段は、前記プリンタ特性として、プリンタのドライバ属性又はデバイス情報を取得する
請求項１に記載のプリンタアイコン生成装置。
【請求項３】
前記アイコン生成手段は、２頁印刷／片面、１頁印刷／両面、２頁印刷／両面の少なくとも１つの印刷属性で印刷することを指示するアイコンを生成する
請求項１または２に記載のプリンタアイコン生成装置。
【請求項４】
プリンタを選択するプリンタ選択工程と、
前記プリンタ選択工程により選択されたプリンタのプリンタ特性を取得するプリンタ特性取得工程と、
前記プリンタ特性取得工程により取得されたプリンタ特性に応じて、所定の印刷属性で印刷することを指示するアイコンを生成するアイコン生成工程と、
を備えたプリンタアイコン生成方法。
【請求項５】
前記プリンタ特性取得工程は、前記プリンタ特性として、プリンタのドライバ属性又はデバイス情報を取得する
請求項４に記載のプリンタアイコン生成方法。
【請求項６】
前記アイコン生成工程は、２頁印刷／片面、１頁印刷／両面、２頁印刷／両面の少なくとも１つの印刷属性で印刷することを指示するアイコンを生成する
請求項４または５に記載のプリンタアイコン生成方法。
【請求項７】
コンピュータに、
プリンタを選択するプリンタ選択工程と、
前記プリンタ選択工程により選択されたプリンタのプリンタ特性を取得するプリンタ特性取得工程と、
前記プリンタ特性取得工程により取得されたプリンタ特性に応じて、所定の印刷属性で印刷することを指示するアイコンを生成するアイコン生成工程と、
を備えた処理を実行させるプリンタアイコン生成制御プログラム。
【請求項８】
前記プリンタ特性取得工程は、前記プリンタ特性として、プリンタのドライバ属性又はデバイス情報を取得する
請求項７に記載のプリンタアイコン生成制御プログラム。
【請求項９】
前記アイコン生成工程は、２頁印刷／片面、１頁印刷／両面、２頁印刷／両面の少なくとも１つの印刷属性で印刷することを指示するアイコンを生成する
請求項７または８に記載のプリンタアイコン生成制御プログラム。
【発明の詳細な説明】
【０００１】
【発明の属する技術分野】
本発明は、プリンタアイコン生成装置、プリンタアイコン生成方法及びプログラムに係り、特に所定の印刷属性で印刷することを指示するアイコンを生成するプリンタアイコン生成装置、プリンタアイコン生成方法及びプログラムに関する。
【０００２】
【従来の技術】
従来、いわゆるパーソナルコンピュータのＯＳ（Ｏｐｅｒａｔｉｎｇ　Ｓｙｓｔｅｍ）では、ユーザは、印刷属性（Ｎｕｐ：１ｕｐ／２ｕｐ／４ｕｐ、両面／片面）を指定して印刷することができる。ここでいうＮｕｐとは、用紙の１面に対してＮ頁分の画像を割り付けて印刷することである。ここで、ユーザは、印刷属性を指定する際には、印刷時に表示されるダイアログを介して属性を指定したり、または、プリンタホルダ中のプリンタアイコンを複数作成し、プロパティを介して属性の規定値を指定していた（例えば、非特許文献１参照。）。
【０００３】
【非特許文献１】
Ｃｒａｉｇ　Ｓｔｉｎｓｏｎ、Ｃａｒｌ　Ｓｉｅｃｈｅｒｔ著、「Ｍｉｃｒｏｓｏｆｔ（商標）　Ｗｉｎｄｏｗｓ（Ｒ）　ＮＴ　Ｗｏｒｋｓｔａｔｉｏｎ　ｖｅｒｓｉｏｎ　４．０　オフィシャルマニュアル」、アスキー出版局、ｐ．２１８−２１９
【０００４】
【発明が解決しようとする課題】
しかし、従来の印刷属性の設定方法は、ユーザの操作が介在していた。つまり、ユーザは、印刷属性の設定方法を知っていなければ、所望の印刷属性でプリントアウトすることができなかった。また、ＩＳＯ１４００１の文書管理の観点から、紙の出力を少なくすることが望ましいので、印刷属性を容易に指定したいという要請もあった。
【０００５】
本発明は、上述した課題を解決するために提案されたものであり、簡単な操作をするだけで所定の印刷属性で印刷することができるプリンタアイコン生成装置、プリンタアイコン生成方法及びプログラムを提供することを目的とする。
【０００６】
【課題を解決するための手段】
請求項１に記載の発明は、プリンタを選択するプリンタ選択手段と、前記プリンタ選択手段により選択されたプリンタのプリンタ特性を取得するプリンタ特性取得手段と、前記プリンタ特性取得手段により取得されたプリンタ特性に応じて、所定の印刷属性で印刷することを指示するアイコンを生成するアイコン生成手段と、を備えている。
【０００７】
請求項４に記載の発明は、プリンタを選択するプリンタ選択工程と、前記プリンタ選択工程により選択されたプリンタのプリンタ特性を取得するプリンタ特性取得工程と、前記プリンタ特性取得工程により取得されたプリンタ特性に応じて、所定の印刷属性で印刷することを指示するアイコンを生成するアイコン生成工程と、を備えている。
【０００８】
請求項７に記載の発明は、コンピュータに、プリンタを選択するプリンタ選択工程と、前記プリンタ選択工程により選択されたプリンタのプリンタ特性を取得するプリンタ特性取得工程と、前記プリンタ特性取得工程により取得されたプリンタ特性に応じて、所定の印刷属性で印刷することを指示するアイコンを生成するアイコン生成工程と、を備えた処理を実行させる。
【０００９】
ここで、コンピュータに請求項７に記載の発明であるプリンタアイコン生成制御プログラムをインストールすることにより、請求項１及び請求項４に記載の発明を実現することができる。
【００１０】
プリンタ選択手段は、例えば複数のプリンタの中から、例えばユーザの操作に従って１つ以上のプリンタを選択する。プリンタ特性取得手段は、前記プリンタ選択手段により選択されたプリンタのプリンタ特性を取得する。ここで、プリンタ特性としては、例えばプリンタが両面印刷可能であるか否かを表す情報であることが好ましい。
【００１１】
アイコン生成手段は、前記プリンタ特性取得手段により取得されたプリンタ特性に応じて、印刷可能な印刷属性を判別する。そして、判別された所定の印刷属性で印刷することを指示するアイコンを生成する。したがって、アイコン生成手段は、印刷可能な印刷属性が複数ある場合は、それぞれの印刷属性で印刷できるように、それぞれの印刷属性で印刷することを指示するアイコンを複数生成してもよい。
【００１２】
したがって、請求項１、４、７に記載の発明によれば、選択されたプリンタのプリンタ特性を取得し、取得されたプリンタ特性に応じて所定の印刷属性で印刷することを指示するアイコンを生成することにより、ユーザはプリンタドライバ等の知識がなくても、所望のアイコンをクリックするだけで容易に所定の印刷属性で印刷することができる。
【００１３】
請求項２に記載の発明は、請求項１に記載の発明において、前記プリンタ特性取得手段は、前記プリンタ特性として、プリンタのドライバ属性又はデバイス情報を取得する。
【００１４】
請求項５に記載の発明は、請求項４に記載の発明において、前記プリンタ特性取得工程は、前記プリンタ特性として、プリンタのドライバ属性又はデバイス情報を取得する。
【００１５】
請求項８に記載の発明は、請求項７に記載の発明において、前記プリンタ特性取得工程は、前記プリンタ特性として、プリンタのドライバ属性又はデバイス情報を取得する。
【００１６】
ここで、コンピュータに請求項８に記載の発明であるプリンタアイコン生成制御プログラムをインストールすることにより、請求項２及び請求項５に記載の発明を実現することができる。
【００１７】
したがって、請求項２、５、８に記載の発明によれば、プリンタ特性としてプリンタのドライバ属性又はデバイス情報を取得し、ドライバ属性又はデバイス情報から印刷可能な印刷属性を判別することができるので、容易に、所定の印刷属性で印刷することを指示するアイコンを生成することができる。
【００１８】
請求項３に記載の発明は、請求項１または２に記載の発明において、前記アイコン生成手段は、２頁印刷／片面、１頁印刷／両面、２頁印刷／両面の少なくとも１つの印刷属性で印刷することを指示するアイコンを生成する。
【００１９】
請求項６に記載の発明は、請求項４または５に記載の発明において、前記アイコン生成工程は、２頁印刷／片面、１頁印刷／両面、２頁印刷／両面の少なくとも１つの印刷属性で印刷することを指示するアイコンを生成する。
【００２０】
請求項９に記載の発明は、請求項７または８に記載の発明において、前記アイコン生成工程は、２頁印刷／片面、１頁印刷／両面、２頁印刷／両面の少なくとも１つの印刷属性で印刷することを指示するアイコンを生成する。
【００２１】
ここで、コンピュータに請求項９に記載の発明であるプリンタアイコン生成制御プログラムをインストールすることにより、請求項３及び請求項６に記載の発明を実現することができる。
【００２２】
したがって、請求項３、６、９に記載の発明によれば、アイコンをクリックするという簡単な操作だけで、２頁印刷（２ｕｐ）／片面、１頁印刷（１ｕｐ）／両面、２頁印刷（２ｕｐ）／両面の少なくとも１つの印刷属性で印刷することができる。
【００２３】
【発明の実施の形態】
以下、本発明の好ましい実施の形態について図面を参照しながら詳細に説明する。
【００２４】
図１は、本発明の実施形態に係るプリンタ制御ネットワーク１の構成を示す図である。プリンタ制御ネットワーク１は、プリンタアイコン生成装置１０と、プリンタ２０，３０，４０とを備えている。
【００２５】
プリンタアイコン生成装置１０は、いわゆるパーソナルコンピュータで構成されている。ここで、プリンタアイコン生成装置１０には、文書編集用アプリケーションプログラム、各プリンタプリンタ２０，３０，４０のプリンタドライバ、さらに後述するプリンタアイコン生成制御プログラムがインストールされている。
【００２６】
プリンタアイコン生成装置１０は、図１に示すように、演算処理を行うＣＰＵ１１と、ＣＰＵ１１の制御プログラムが記憶されたＲＯＭ１２と、データのワークエリアであるＲＡＭ１３と、データの入出力を行う入出力（Ｉ／Ｏ）ポート１４と、アプリケーションプログラム等が記憶されたハードディスクドライブ１５と、編集中の文書やアイコン等を表示する液晶表示ディスプレイ（ＬＣＤ）１６と、ＬＣＤ１６上の位置を指示するポインティングデバイス１７と、を備えている。
【００２７】
ここで、ハードディスクドライブ１５には、文書編集用アプリケーションプログラム、各プリンタプリンタ２０，３０，４０のプリンタドライバ、さらに後述するプリンタアイコン生成制御プログラムが記憶されている。
【００２８】
図２は、プリンタアイコン生成装置１０のＣＰＵ１１が所定の印刷属性を有する新たなプリンタアイコンを生成するときの処理手順を示すフローチャートである。
【００２９】
ステップＳＴ１では、ＣＰＵ１１は、プリンタアイコン作成画面を表示する。
【００３０】
図３は、ＬＣＤに表示されたプリンタアイコン作成画面５０を示す図である。プリンタアイコン作成画面５０は、プリンタリスト５１と、新たなプリンタアイコンの生成実行を指示するＯＫボタン５２と、何も実行せずに終了することを指示するキャンセルボタン５３と、図示しないヘルプ画面の表示を指示するヘルプボタン５４とを備えている。
【００３１】
プリンタリスト５１には、所定の印刷用ドライバを使用し、かつ印刷可能なすべてのプリンタを表したプリンタアイコン５５と、各プリンタアイコン５５について選択されているか否かを表すチェックボックス５６が表示される。なお、ファクシミリ送信用ドライバを使用しているプリンタについては、プリンタアイコンは表示されない。
【００３２】
また、共有プリンタ（プリンタ名が‘￥’（バックスラッシュ）から始まるもの）のプリンタアイコンは表示されない。チェックボックス５６のデフォルトは、すべてオフ、すなわち選択されていない状態である。
【００３３】
プリンタリスト５１に表示された複数のプリンタアイコン５５は、一度に選択されないようになっている。そこで、ユーザは、複数のプリンタアイコン５５を選択する場合は、各プリンタアイコン５５に対応するチェックボックス５６を１つずつクリックすればよい。
【００３４】
ステップＳＴ２では、ＣＰＵ１１は、プリンタリスト５１に表示されたアイコンの中で少なくとも１つが選択されたかを判定し、少なくとも１つのアイコンが選択されるまで、ＯＫボタン５２をグレーアウトにして待機する。そして、ＣＰＵ１１は、少なくとも１つのアイコン（例えば、プリンタ２０に対応するアイコン）が選択されたことを検知すると、ＯＫボタン５２のグレーアウトを解除して、ステップＳＴ３に移行する。
【００３５】
ステップＳＴ３では、ＣＰＵ１１は、ＯＫボタン５２がクリックされるまで待機して、ＯＫボタン５２がクリックされたことを検知すると、ステップＳＴ４に移行する。
【００３６】
ステップＳＴ４では、ＣＰＵ１１は、ステップＳＴ２で選択されたプリンタアイコンと共にプリンタ２０のプリンタドライバをコピーして、ステップＳＴ５に移行する。
【００３７】
ステップＳＴ５では、ＣＰＵ１１は、プリンタ２０のドライバ属性又はデバイス属性を取得して、プリンタ２０が両面印刷可能であるかを判定する。そして、両面印刷可能であるときはステップＳＴ６に移行し、両面印刷可能でないときはステップＳＴ７に移行する。
【００３８】
ステップＳＴ６では、ＣＰＵ１１は、コピーされたプリンタアイコン（プリンタドライバ等）を用いて、プリンタ２０に対して２頁を片面に印刷することを指示する「＜プリンタ名＞＿片面＿２ｕｐ」プリンタアイコンを生成する。さらに、「＜プリンタ名＞＿片面＿２ｕｐ」プリンタアイコンに対して、両面＝「しない」、Ｎｕｐ＝「２ｕｐ／順方向」の印刷属性の設定を行う。
【００３９】
また、ＣＰＵ１１は、コピーされたプリンタアイコンを用いて、プリンタ２０に対して１頁を両面に印刷することを指示する「＜プリンタ名＞＿両面」プリンタアイコンを生成する。さらに、「＜プリンタ名＞＿両面」プリンタアイコンに対して、両面＝「長辺とじ」、Ｎｕｐ＝「１ｕｐ」の印刷属性の設定を行う。
【００４０】
同様に、ＣＰＵ１１は、コピーされたプリンタアイコンを用いて、プリンタ２０に対して２頁を両面に印刷することを指示する「＜プリンタ名＞＿両面＿２ｕｐ」プリンタアイコンを生成する。さらに、「＜プリンタ名＞＿両面＿２ｕｐ」プリンタアイコンに対して、両面＝「長辺とじ」、Ｎｕｐ＝「２ｕｐ／順方向」の印刷属性の設定を行って、ステップＳＴ８に移行する。
【００４１】
一方、ステップＳＴ７では、ＣＰＵ１１は、コピーされたプリンタアイコンを用いて、プリンタ２０に対して２頁を片面に印刷することを指示する「＜プリンタ名＞＿片面＿２ｕｐ」プリンタアイコンを生成する。さらに、「＜プリンタ名＞＿片面＿２ｕｐ」プリンタアイコンに対して、両面＝「しない」、Ｎｕｐ＝「２ｕｐ／順方向」の印刷属性の設定を行って、ステップＳＴ８に移行する。
【００４２】
なお、所定のドライバオプション（例えば、ジョブオーナー名、カラーモード、ドキュメントモニター）は、ステップＳＴ６及び７において新たに生成されたプリンタアイコンに引き継がれる。その他の属性については、プリンタモニタの「プリンタ構成の更新」で更新することができる。
【００４３】
ステップＳＴ８では、ＣＰＵ１１は、プリンタ構成を最新の状態にするようにユーザに促すために、ＬＣＤ１６に終了メッセージを表示させると共に、ＸＭＬファイルを出力する。
【００４４】
図４は、ステップＳＴ６を経てステップＳＴ８に移行したときにＬＣＤ１６に表示される終了メッセージ６０を示す図である。図５は、ＸＭＬファイルを示す図である。ＣＰＵ１１は、終了メッセージ６０のＯＫボタン６１がクリックされたことを検知すると、終了メッセージ６０を閉じて処理を終了する。
【００４５】
なお、ＣＰＵ１１は、ステップＳＴ７を経てステップＳＴ８に移行したときは、「＜プリンタ名＞＿片面＿２ｕｐ」プリンタアイコンのみを生成したことを表す終了メッセージをＬＣＤ１６に表示させる。
【００４６】
また、ＣＰＵ１１は、ステップＳＴ２において２つ以上のプリンタアイコン５６が選択され、かつ１つのプリンタについてステップＳＴ７を経てステップＳＴ８に移行したときは、「＜プリンタ名＞＿片面＿２ｕｐ」プリンタアイコンのみを生成したことを表す終了メッセージを表示した後、次のプリンタについて同様にステップＳＴ４移行の処理を実行する。
【００４７】
以上のように、本発明の実施形態に係るプリンタ制御ネットワーク１において、プリンタアイコン生成装置１０は、ユーザが所望のプリンタを選択するだけで、所定の印刷属性（「２ｕｐ／片面」、「１ｕｐ／両面」、「２ｕｐ／両面」）に予め設定されたプリンタアイコンを自動的に生成することができる。
【００４８】
これにより、ユーザは、印刷する際に印刷属性を設定することなく、所望のプリンタアイコンをクリックするだけで、予め設定された印刷属性で印刷することができる。つまり、ユーザは、プリンタドライバ等に関する知識がなくても、所望のプリンタアイコンをクリックするという簡単な操作だけで、所定の印刷属性で印刷することができる。
【００４９】
なお、本発明は、上述した実施形態に限定されるものではなく、特許請求の範囲に記載された範囲内で種々の設計上の変更を行ってもよい。例えば、プリンタアイコン生成装置１０として、プリンタアイコン生成制御プログラムがインストールされたパーソナルコンピュータを例に挙げて説明したが、例えばサーバ等であってもよい。
【００５０】
また、印刷属性としては、１ｕｐ／２ｕｐ、両面／片面の組合せを例に挙げて説明したが、これに限定されるものではない。例えば、４ｕｐ／８ｕｐ、出力用紙サイズ、原稿の向き、フォント、グラフィックス、トレイ／排出等であってもよい。
【００５１】
【発明の効果】
本発明に係るプリンタアイコン生成装置、プリンタアイコン生成方法及びプログラムによれば、選択されたプリンタのプリンタ特性を取得し、取得されたプリンタ特性に応じて所定の印刷属性で印刷することを指示するアイコンを生成することにより、ユーザはプリンタドライバ等の知識がなくても、所望のアイコンをクリックするだけで容易に所定の印刷属性で印刷することができる。
【図面の簡単な説明】
【図１】本発明の実施形態に係るプリンタ制御ネットワーク１の構成を示す図である。
【図２】プリンタアイコン生成装置のＣＰＵが所定の印刷属性を有する新たなプリンタアイコンを生成するときの処理手順を示すフローチャートである。
【図３】ＬＣＤに表示されたプリンタアイコン作成画面を示す図である。
【図４】ＬＣＤに表示される終了メッセージを示す図である。
【図５】ＸＭＬファイルを示す図である。
【符号の説明】
１　プリンタ制御ネットワーク
１０　プリンタアイコン生成装置
１１　ＣＰＵ
１２　ＲＯＭ
１３　ＲＡＭ
１４　Ｉ／Ｏポート
１５　ハードディスクドライブ
１６　ＬＣＤ
１７　ポインティングデバイス
２０，３０，４０　プリンタ
【図１】
2004110127.tif 000003
【図２】
2004110127.tif 000004
【図３】
2004110127.tif 000005
【図４】
2004110127.tif 000006
【図５】
2004110127.tif 000007